【手続補正書】
【提出日】平成17年8月18日(2005.8.18)
【手続補正１】
【補正対象書類名】特許請求の範囲
【補正対象項目名】全文
【補正方法】変更
【補正の内容】
【特許請求の範囲】
【請求項１】
近接端から遠心端まで伸びるチューブ状本体から構成される管腔内ステントであって、
前記チューブ状本体は、膨張可能であり、又は放射状に収縮した状態から放射状に膨張した状態に膨張可能であり、
少なくとも放射状に膨張した状態において、チューブ状本体は、チューブ状本体の近接端に位置し又は近接端に接続した前記チューブ状本体から外側に伸びた第一フランジ部材を少なくとも備えてなる、管腔内ステント。
【請求項２】
前記第一フランジ部材は、ステントのチューブ状本体の近接端から外側に伸びてトランペット形状を呈してなることを特徴とする、請求項１に記載の管腔内ステント。
【請求項３】
第一フランジ部材はチューブ状本体の近接端と一体となり、外側縁まで伸びてなることを特徴とする、請求項２に記載の管腔内ステント。
【請求項４】
外側縁はチューブ状本体の遠心端方向に折り返した唇部を形成してなることを特徴とする、請求項３に記載の管腔内ステント。
【請求項５】
チューブ状本体の遠心端に位置し又は遠心端に近接した第二フランジ部材を備えてなる、請求項１〜４のいずれかに記載の管腔内ステント。
【請求項６】
前記第二フランジ部材は、ステントのチューブ状本体の遠心端から外側に伸びてなることを特徴とする、請求項５に記載の管腔内ステント。
【請求項７】
第二フランジ部材はチューブ状本体の近接端と一体となり、外側縁まで伸びてなることを特徴とする、請求項６に記載の管腔内ステント。
【請求項８】
外側縁はチューブ状本体の近接端方向に折り返した唇部を形成してなることを特徴とする、請求項７に記載の管腔内ステント。
【請求項９】
ニチノール（登録商標）を含む形状記憶材からなる、請求項１〜８のいずれかに記載の管腔内ステント。
【請求項１０】
ステントのチューブ状本体は一連の細胞から構成されることを特徴とする、請求項１〜９のいずれかに記載の管腔内ステント。
【請求項１１】
チューブ状本体の延長に沿って細胞が存在し、チューブ状本体の該延長に沿って該細胞が大きさと形状を変化させることを特徴とする、請求項１０に記載の管腔内ステント。
【請求項１２】
第一フランジ部材は、チューブ状本体の細胞のその他の部分よりも大きく及び／又は細長い一連の細胞からなることを特徴とする、請求項１１に記載の管腔内ステント。
【請求項１３】
フランジ部材の細胞は、チューブ状本体の細胞のその他の部分に対して曲げられてなることを特徴とする、請求項１１又は１２に記載の管腔内ステント。
【請求項１４】
前記管腔内ステントが、腎臓動脈や腸間膜動脈、腸骨動脈、サブ・クラビアン動脈（ｓｕｂ−ｃｌａｖｉａｎ  ａｒｔｅｒｙ）の動脈口狭窄を含む動脈口狭窄の治療に使用される、請求項１〜１３のいずれかに記載の管腔内ステント。
【請求項１５】
第一フランジ部材は動脈口狭窄領域の前枝脈管内に配置可能であり、前記第一フランジ部材は、実質的には少なくとも後枝脈管の孔を包囲する前枝脈管壁部分と噛み合ってなることを特徴とする、請求項１４に記載の管腔内ステント。
【請求項１６】
ステントのチューブ状本体のうち第一フランジ部材以外の部分は、後枝脈管内に伸張可能であり、第一フランジ部材はチューブ状本体の前記部分を後枝脈管内に固定して、管腔内ステントが後枝脈管内に移動するのを防止可能としたことを特徴とする、請求項１５に記載の管腔内ステント。
【請求項１７】
ステントのチューブ状本体は、さらにチューブ状本体の近接端と遠心端の間において、チューブ状本体壁と連結又は一体となる少なくとも一つの介在部材を備えてなることを特徴とする、請求項１〜１６のいずれかに記載の管腔内ステント。
【請求項１８】
介在部材は一つの骨棘、又は複数の骨棘、又はステントのチューブ状本体から外側に伸びた他の部材からなることを特徴とする、請求項１７に記載の管腔内ステント。
【請求項１９】
少なくとも一つの介在部材は、近接端及び遠心端の夫々に近接したチューブ状本体部分の断面直径よりも大きな断面直径を備えた隆線、又は同じような領域、又は一連の隆線を備えてなることを特徴とする、請求項１〜１７に記載の管腔内ステント。
【請求項２０】
チューブ状本体が、細胞の粘着力や細胞の成長を促進させる材質にて被覆されてなることを特徴とする、請求項１〜１９のいずれかに記載の管腔内ステント。
【請求項２１】
請求項１に記載の管腔内ステントを対象脈管へ配送する配送システムであって、
前記配送システムは、挿入カテーテルがその内部を通る細長いチューブ状本体を備えた案内用カテーテルを備え、
前記挿入カテーテルは、近接端から遠心端まで伸びて、前記近接端と前記遠心端の間に請求項１に記載のステントを運ぶ細長い本体を備え、
さらに、管腔内ステントのチューブ状本体のうち少なくとも第一フランジ部材以外の部分と連結した膜を備え、該膜はチューブ状本体の前記チューブ状本体部分を放射状に収縮させて保持することを可能とした、管腔内ステントの配送システム。
【請求項２２】
対象脈管に管腔内ステントを配送する配送システムであって、
前記配送システムは、挿入カテーテルがその内部を通る細長いチューブ状本体を備えた案内用カテーテルを備え、
前記挿入カテーテルは、近接端から遠心端まで伸びて、前記近接端と前記遠心端の間に管腔内ステントを運ぶ細長い本体を備えてなり、
さらに少なくとも管腔内ステントの一部と噛み合う膜を備え、ステントの前記一部が最初に放射状に収縮した状態から次に放射状に膨張した状態に移行するのを防止可能とした、管腔内ステントの配送システム。
【請求項２３】
膜が、管腔内ステントのチューブ状本体の外周にて伸張可能であることを特徴とする、請求項２１又は２２に記載の管腔内ステントの配送システム。
【請求項２４】
膜はステントに対して圧縮力として作用するための適度な強度を備えた材質から形成され、ステントが放射状に膨張した状態に移行するのを防止可能としたことを特徴とする、請求項２３に記載の管腔内ステントの配送システム。
【請求項２５】
挿入カテーテルは、管腔内ステントのチューブ状本体の内部内腔に少なくともその一部を配した膨張部材を含んでなることを特徴とする、請求項２３又は２４に記載の管腔内ステントの配送システム。
【請求項２６】
膨張部材の膨張が管腔内ステントに放射状に外側への力を作用させて、膜の領域を破断可能としたことを特徴とする、請求項２５に記載の管腔内ステントの配送システム。
【請求項２７】
膜が薬剤物質を包含してなることを特徴とする、請求項２１〜２６のいずれかに記載の管腔内ステントの配送システム。
【請求項２８】
対象脈管に管腔内ステントを配送する配送システムであって、
脈管内の対象部位において、最初に放射状に収縮した状態から次に放射状に膨張した状態に移行可能な前記管腔内ステントと、
近接端から遠心端まで伸びた細長い本体を有するカテーテルを備えた前記配送システムであって、細長い本体は管腔内ステントの内部内腔を通して伸びており、前記管腔内ステントは実質的にはカテーテルの一部を包囲しており、さらに該配送システムは、はじめに放射状に収縮した状態で管腔内ステントを保持する圧縮部材と、圧縮部材を解放させて管腔内ステントを次の放射状に膨張した状態とする解放部材とを少なくとも備えてなる、管腔内ステントの配送システム。
【請求項２９】
対象部位に自己膨張性の管腔内ステントを配送する際に使用する、
請求項２８に記載の管腔内ステントの配送システム。
【請求項３０】
圧縮部材は管腔内ステント周りの膜からなることを特徴とする、請求項２８又は２９に記載の管腔内ステントの配送システム。
【請求項３１】
圧縮部材は、管腔内ステントをカテーテルに固定して、管腔内ステントが最初の収縮状態から次に膨張状態へ移行するのを防止する一本又は一連の連結部材を含んでなることを特徴とする、請求項２８又は２９に記載の管腔内ステントの配送システム。
【請求項３２】
連結部材は、所要の破断強度を備えている縫合糸であることを特徴とする、請求項３１に記載の管腔内ステントの配送システム。
【請求項３３】
圧縮部材は、管腔内ステント周りの単数又は複数の輪、又は螺旋状の覆い、又はそれらの組合せからなることを特徴とする、請求項２８又は２９に記載の管腔内ステントの配送システム。
【請求項３４】
解放部材は、カテーテルの細長い本体の延長に沿って配された膨張部材からなることを特徴とする、請求項２９〜３２のいずれかに記載の管腔内ステントの配送システム。
【請求項３５】
膨張部材は、実質的に管腔内ステントに包囲されてなることを特徴とする、請求項３４に記載の管腔内ステントの配送システム。
【請求項３６】
最初に収縮した状態から次に膨張した状態へ膨張部材が移行することによって、圧縮部材の圧縮力を解放させることを特徴とする、請求項３４又は３５に記載の管腔内ステントの配送システム。
【請求項３７】
前記膜は、少なくとも一つの破れ易い領域を備えてなり、膨張部材が収縮状態から膨張状態へ移行する際に、前記する一つの破れ易い領域が破れて管腔内ステントが次の放射状に膨張した状態に移行可能であることを特徴とする、請求項３６に記載の管腔内ステントの配送システム。
【請求項３８】
管腔内ステントは自己膨張性ステントであることを特徴とする、請求項３７に記載の管腔内ステントの配送システム。
【請求項３９】
前記する破れ易い領域は、膜本体において単数又は複数の目打ち穴を備えてなることを特徴とする、請求項３７に記載の管腔内ステントの配送システム。
【請求項４０】
圧縮部材は、管腔内ステント周りの膜であって、該膜はその延長部分に沿って破れ易い領域を備え、前記解放部材は膜の破れ易い領域に配され、及び／又は通された引っ張り縫合糸であることを特徴とする、請求項２８に記載の管腔内ステントの配送システム。
【請求項４１】
引っ張り縫合糸は本体の外側まで伸びており、管腔内ステントが対象部位にある際には引っ張り縫合糸が管腔内ステントの近接端方向へ移動可能であって、破れ易い領域が破れて膜の圧縮力が管腔内ステントから解放されて管腔内ステントが放射状に膨張した状態となることを特徴とする、請求項４０に記載の管腔内ステントの配送システム。
【請求項４２】
圧縮部材は膨張可能な膜であることを特徴とする、請求項２８に記載の管腔内ステントの配送システム。
【請求項４３】
膜がステント周りにシールされてなることを特徴とする、請求項４２に記載の管腔内ステントの配送システム。
【請求項４４】
解放部材は、シールされた膜に配送可能であって膜を膨張可能とする流体からなることを特徴とする、請求項４３に記載の管腔内ステントの配送システム。
【請求項４５】
流体はカテーテルの孔を通してシールされた膜に配送されることを特徴とする、請求項４４に記載の管腔内ステントの配送システム。
【請求項４６】
膜が単数又は複数の部分に破れて所要の膨張程度となることを特徴とする、請求項４５に記載の管腔内ステントの配送システム。
【請求項４７】
前記する単数又は複数の膜部分はカテーテルに連結され、カテーテルの引き抜き時に対象脈管から引き抜き可能であることを特徴とする、請求項４６に記載の管腔内ステントの配送システム。
【請求項４８】
膜は単数又は複数の薬剤物質を包含してなることを特徴とする、請求項４３に記載の管腔内ステントの配送システム。
【請求項４９】
単数又は複数の薬剤物質が、シールされた膜によって形成されたポケット内に配送されてなることを特徴とする、請求項４４に記載の管腔内ステントの配送システム。
【請求項５０】
ステントは膜の膨張時に膨張する自己膨張性ステントであることを特徴とする、請求項４２に記載の管腔内ステントの配送システム。
【請求項５１】
ステントは、補助装置によって膨張する受動的なステントであることを特徴とする、請求項４２に記載の管腔内ステントの配送システム。
【請求項５２】
補助装置は膨張カテーテルであることを特徴とする、請求項５１に記載の管腔内ステントの配送システム。